(57)【特許請求の範囲】
【請求項１】
睡眠時運転モードを含む複数の運転モードから所定の運転モードを選択する選択部と、
前記選択部によって選択された運転モードに従って圧縮機と室内ファンを制御する制御部と、
室内の温度を検出する室内温度検出部と、
室内に吹出される空気の温度を検出する吹出し温度検出部とを備え、
前記選択部によって前記睡眠時運転モードが選択されると、前記制御部は、前記吹出し温度検出部によって検出された吹出し空気温度に応じて、前記圧縮機の回転数を制御し、
冷房運転時に前記選択部によって前記睡眠時運転モードが選択されると、前記制御部は、前記室内温度検出部によって検出された検出室内温度と前記吹出し空気温度との差が相対的に大きいとき、前記圧縮機の回転数を減少させ、前記検出室内温度と前記吹出し空気温度との差が相対的に小さいとき、前記圧縮機の回転数を増加させるように制御することを特徴とする、空気調和機。
【請求項２】
前記選択部によって前記睡眠時運転モードが選択されると、前記制御部は、前記室内ファンの回転数を減少させることを特徴とする、請求項１に記載の空気調和機。
【請求項３】
前記圧縮機の回転数の制御は、前記睡眠時運転モードで設定された設定室内温度と、前記室内温度検出部によって検出された検出室内温度との差が予め定められた温度差の範囲内のとき、行われることを特徴とする、請求項１または請求項２に記載の空気調和機。
【請求項４】
前記圧縮機の回転数の制御は、前記設定室内温度と前記検出室内温度との差に応じて行われることを特徴とする、請求項３に記載の空気調和機。
【請求項５】
冷房運転時に前記選択部によって前記睡眠時運転モードが選択されると、前記制御部は、前記検出室内温度と前記吹出し空気温度との差が予め定められた範囲の上限値よりも相対的に大きいとき、前記圧縮機の回転数を減少させ、前記検出室内温度と前記吹出し空気温度との差が予め定められた範囲の下限値よりも相対的に小さいとき、前記圧縮機の回転数を増加させ、前記検出室内温度と前記吹出し空気温度との差が予め定められた範囲内のとき、前記圧縮機の回転数を維持するように制御することを特徴とする、請求項１から請求項４までのいずれか１項に記載の空気調和機。
【請求項６】
冷房運転時に前記選択部によって前記睡眠時運転モードが選択されると、前記吹出し空気温度が、前記検出室内温度において、予め定められた第１の湿度に対応する第１の露点温度と、前記第１の湿度よりも高い予め定められた第２の湿度に対応する第２の露点温度の範囲内の温度になるように、前記制御部は、前記圧縮機の回転数を制御することを特徴とする、請求項１から請求項５までのいずれか１項に記載の空気調和機。
【請求項７】
暖房運転時に前記選択部によって前記睡眠時運転モードが選択されると、前記吹出し空気温度が、人間の体温よりも高い予め定められた第１の温度と、前記第１の温度よりも高い予め定められた第２の温度の範囲内の温度になるように、前記制御部は、前記圧縮機の回転数を制御することを特徴とする、請求項１から請求項６までのいずれか１項に記載の空気調和機。
【請求項８】
前記吹出し温度検出部は、吹出口における空気の温度、または、室内熱交換器における空気の温度の少なくともいずれかの温度を検出することを特徴とする、請求項１から請求項７までのいずれか１項に記載の空気調和機。
【発明の詳細な説明】
【技術分野】
【０００１】
この発明は、一般的には空気調和機に関し、特定的には睡眠時に温度制御を行う空気調和機に関するものである。
【背景技術】
【０００２】
従来から、運転時において通常運転モードから、睡眠時の運転としておやすみ運転モードに切替え、おやすみ運転モード時には室内温度を変化させて快適な睡眠に入ることができるようにした空気調和機が知られている。
【０００３】
たとえば、特開平３−２２５１４１号公報（特許文献１）には、睡眠時に快適な温度制御を行う空気調和機の制御装置が提案されている。この空気調和機の制御装置は、室内温度を設定する室温設定手段と、冷房おやすみ運転作動時を判定する作動判定手段と、冷房おやすみ運転作動からの経過時間を計測する時間計測手段と、作動判定手段からの信号を検出して設定温度を室温設定手段により第１の温度だけ下降させ、その後、時間計測手段により一定時間経過後に第２の温度だけ上昇させる制御手段を備えている。
【特許文献１】特開平３−２２５１４１号公報
【発明の開示】
【発明が解決しようとする課題】
【０００４】
しかしながら、従来の空気調和機では、冷房運転時には外気温度が低下すると、室内熱交換器の温度も低下するため、冷気が就寝者に当たり、就寝者が寒く感じることがある。
【０００５】
また、上記の公報に記載された空気調和機のように、設定温度を一旦低下させた後、上昇させると、夜中などの外気温度が低いときには圧縮機の運転が停止し、室内ファンのみの運転が行われるので、除湿を行うことができないという問題がある。このため、室内熱交換器に付着した凝縮水が送風とともに室内に放出される場合がある。これにより、室内の相対湿度が上昇するので、室内の湿度が睡眠時に不快なものになる場合がある。
【０００６】
さらに、従来の空気調和機では、暖房運転時には、熱い吹出し空気が就寝者に当たり、就寝者が寝苦しくなることがある。
【０００７】
そこで、この発明の目的は、より快適な睡眠環境を作ることが可能な空気調和機を提供することである。
【課題を解決するための手段】
【０００８】
この発明に従った空気調和機は、睡眠時運転モードを含む複数の運転モードから所定の運転モードを選択する選択部と、この選択部によって選択された運転モードに従って圧縮機と室内ファンを制御する制御部と、室内の温度を検出する室内温度検出部と、室内に吹出される空気の温度を検出する吹出し温度検出部とを備える。選択部によって睡眠時運転モードが選択されると、制御部は、吹出し温度検出部によって検出された吹出し空気温度に応じて、圧縮機の回転数を制御する。
【０００９】
この発明の空気調和機においては、吹出し空気温度に応じて、圧縮機の回転数を制御するので、冷房運転時に吹出し空気温度が就寝者にとって寒過ぎる温度になることがなく、また暖房運転時に吹出し空気温度が就寝者にとって熱い温度になることもなく、快適な睡眠環境を作ることができる。
【００１０】
また、この発明の空気調和機においては、冷房運転時に選択部によって睡眠時運転モードが選択されると、制御部は、室内温度検出部によって検出された検出室内温度と吹出し空気温度との差が相対的に大きいとき、圧縮機の回転数を減少させ、検出室内温度と吹出し空気温度との差が相対的に小さいとき、圧縮機の回転数を増加させるように制御する。
【００１１】
このようにすることによって、吹出し空気温度を快適な温度に制御することができる。
【００１２】
この発明の空気調和機においては、選択部によって睡眠時運転モードが選択されると、制御部は、室内ファンの回転数を減少させることが好ましい。
【００１３】
このようにすることによって、室内に送り出される風の量を少なくすることができるので、就寝者にとって快適な風を室内に送ることができる。
【００１４】
また、この発明の空気調和機においては、圧縮機の回転数の制御は、睡眠時運転モードで設定された設定室内温度と、室内温度検出部によって検出された検出室内温度との差が予め定められた温度差の範囲内のとき、行われることが好ましい。
【００１５】
このようにすることによって、検出室内温度が設定室内温度に近づいたときに吹出し空気温度に応じて圧縮機の回転数を制御するので、就寝者にとって好ましい室内温度の状態で快適な睡眠環境を作ることができる。
【００１６】
この場合、圧縮機の回転数の制御は、設定室内温度と検出室内温度との差に応じて行われることが好ましい。
【００１７】
また、この発明の空気調和機においては、冷房運転時に選択部によって睡眠時運転モードが選択されると、制御部は、検出室内温度と吹出し空気温度との差が予め定められた範囲の上限値よりも相対的に大きいとき、圧縮機の回転数を減少させ、検出室内温度と吹出し空気温度との差が予め定められた範囲の下限値よりも相対的に小さいとき、圧縮機の回転数を増加させ、検出室内温度と吹出し空気温度との差が予め定められた範囲内のとき、圧縮機の回転数を維持するように制御することが好ましい。
【００１８】
このようにすることによって、吹出し空気温度を快適な温度範囲に制御することができる。
【００１９】
この発明の空気調和機においては、冷房運転時に選択部によって睡眠時運転モードが選択されると、吹出し空気温度が、検出室内温度において、予め定められた第１の湿度に対応する第１の露点温度と、第１の湿度よりも高い予め定められた第２の湿度に対応する第２の露点温度の範囲内の温度になるように、制御部は、圧縮機の回転数を制御することが好ましい。
【００２０】
このようにすることによって、冷房運転時において、吹出し空気温度を所定の湿度範囲に対応する露点温度の範囲に制御することができる。このため、睡眠運転時に室内の湿度が一定値以下に低下せず、また高くなり過ぎないように制御することができる。
【００２１】
この発明の空気調和機においては、暖房運転時に選択部によって睡眠時運転モードが選択されると、吹出し空気温度が、人間の体温よりも高い予め定められた第１の温度と、第１の温度よりも高い予め定められた第２の温度の範囲内の温度になるように、制御部は、圧縮機の回転数を制御することが好ましい。
【００２２】
このようにすることによって、暖房運転時において、人間の体温よりも高い一定値以上に上昇しないように吹出し空気温度を制御することができる。このため、睡眠運転時に室内の温度が高くなり過ぎないように制御することができる。
【００２３】
なお、この発明の空気調和機においては、吹出し温度検出部は、吹出口における空気の温度、または、室内熱交換器における空気の温度の少なくともいずれかの温度を検出することが好ましい。
【発明の効果】
【００２４】
以上のようにこの発明によれば、吹出し空気温度に応じて圧縮機の回転数を制御するので、より快適な睡眠環境を作ることができる。
【発明を実施するための最良の形態】
【００２５】
以下、この発明の一つの実施の形態を図面に基づいて説明する。
【００２６】
図１は、この発明の一つの実施の形態として空気調和機の冷凍サイクルを示す図である。
【００２７】
図１に示すように、空気調和機１は室内機１０と室外機２０とを備える。室内機１０は、室内熱交換器１１と、室内ファン１２と、室内制御装置として制御部１７とを備える。室外機２０は、圧縮機２１と、四方弁２４と、室外熱交換器２５と、室外ファン２６と、膨張弁２８と、室外制御装置として制御部２９とを備える。
【００２８】
室内ファン１２は、室内熱交換器１１に室内空気を通過させるためのものであり、室内ファンモータ１３によって駆動される。圧縮機２１は、圧縮機モータ２２によって駆動され、その吸込み側にはアキュムレータ２３が接続されている。室外ファン２６は、室外熱交換器２５に室外空気を通過させるためのものであり、室外ファンモータ２７によって駆動される。
【００２９】
室内機１０と室外機２０の接続経路には二つのバルブが設けられ、室内機１０と室外機２０の各構成要素は、順次、冷媒配管によって接続されて周知の冷凍サイクルを構成する。
【００３０】
冷房運転時には、冷媒は、実線の矢印で示すように、圧縮機２１、四方弁２４、室外熱交換器２５、膨張弁２８、室内熱交換器１１、四方弁２４、アキュムレータ２３および圧縮機２１の順の経路で循環する。この場合、室外熱交換器２５は凝縮器として機能し、室内熱交換器１１は蒸発器として機能する。
【００３１】
暖房運転時には、冷媒は、破線の矢印で示すように、圧縮機２１、四方弁２４、室内熱交換器１１、膨張弁２８、室外熱交換器２５、四方弁２４、アキュムレータ２３および圧縮機２１の順の経路で循環する。この場合、室内熱交換器１１は凝縮器として機能し、室外熱交換器２５は蒸発器として機能する。
【００３２】
室内機１０は、室内の温度を検出する室内温度検出部１４と、室内に吹き出される空気の温度を検出する吹出し温度検出部として、吹出口における空気の温度を検出する吹出口温度検出部１５と、室内熱交換器１１における空気の温度を検出する熱交換器温度検出部１６とを備える。制御部１７は、選択された運転モードに従って、設定された設定室内温度と、室内温度検出部１４で検出された検出室内温度と、吹出口温度検出部１５または熱交換器温度検出部１６で検出された吹出し空気温度とに応じて、室内ファン１２の回転数、すなわち、室内ファンモータ１３の回転数を制御するとともに、制御情報を制御部２９に送信する。制御部２９は、制御部１７から受信した制御情報に応じて、圧縮機２１の回転数、すなわち、圧縮機モータ２２の回転数と、室外ファン２６の回転数、すなわち、室外ファンモータ２７の回転数とを制御する。
【００３３】
図２は、冷房運転中において、図１に示す制御部１７または制御部２９を構成するマイクロコンピュータの睡眠時運転モードにおける処理手順を示すフローチャートである。図３は、この発明の一つの実施の形態として空気調和機のリモートコントローラの構成を示す図である。
【００３４】
図１〜図３を参照して、冷房運転中において、睡眠時運転モードが選択された場合の処理手順を説明する。
【００３５】
図３に示すように、リモートコントローラ３０は、少なくとも睡眠時運転モードとして「おやすみ」運転モードを含む複数の運転モードから所定の運転モードを選択することができる選択部である。
【００３６】
まず、ステップＳ１にて、冷房運転中に図３に示す「おやすみ」ボタン３１を押す。これにより、選択部としてのリモートコントローラ３０によって、睡眠時運転モードとしての「おやすみ」運転が選択されると、リモートコントローラ３０から、室内機１０の制御部１７に「おやすみ」運転モードを送信する。
【００３７】
そうすると、ステップＳ２にて、制御部１７は、室内ファン１２に回転数を減少させる制御信号を送信する。このとき、具体的には室内ファン１２の回転数を減少させることにより、室内へ吹き出す風量を「微風」にする。冷房運転中では風向を斜め上向きにする。
【００３８】
このように冷房運転中に「おやすみ」運転モードが選択されると、制御部１７は、室内ファン１２の回転数を減少させることによって、室内に送り出される風の量を少なくすることができるので、就寝者にとって快適な風を室内に送ることができる。また、冷房運転中では風向を斜め上向きにするので、冷気を就寝者に直接当てることがないので、寒さを感じることなく、就寝者は睡眠することができる。
【００３９】
次に、制御部１７は、室内温度検出部１４によって検出された検出室内温度Ｔｒと、吹出し温度検出部として、吹出口温度検出部１５または熱交換器温度検出部１６で検出された吹出し空気温度Ｔｄとに応じて、制御部２９に圧縮機２１の回転数を制御するように制御信号を送信する。この制御信号に応じて、制御部２９は、圧縮機２１の回転数を積分制御する。
【００４０】
このように検出室内温度Ｔｒと吹出し空気温度Ｔｄとに応じて、圧縮機２１の回転数を制御するので、冷房運転時に吹出し空気温度Ｔｄが就寝者にとって寒過ぎる温度になることがなく、快適な睡眠環境を作ることができる。
【００４１】
具体的には、ステップＳ３にて、まず、「おやすみ」運転モードで設定された設定室内温度Ｔｓと、室内温度検出部１４によって検出された検出室内温度Ｔｒとの差（Ｔｒ−Ｔｓ）が予め定められた温度差Δｔの範囲内であるかどうかが判定される。設定室内温度Ｔｓと検出室内温度Ｔｒとの差（Ｔｒ−Ｔｓ）が温度差Δｔの範囲内であれば、圧縮機２１の回転数の制御が行われる。たとえば、（Ｔｒ−Ｔｓ）がΔｔ＝１．３℃以下（ＹＥＳ）であれば、圧縮機２１の回転数の制御が行われ、Δｔを超えれば（ＮＯ）、圧縮機２１の回転数の制御が行われない。なお、設定室内温度Ｔｓは、「おやすみ」運転モードの設定後に、たとえば、６０分後、ファジィ演算によって決定された時間経過後、段階的に上昇させる。
【００４２】
このように、検出室内温度Ｔｒが設定室内温度Ｔｓに近づいたときに吹出し空気温度Ｔｄに応じて圧縮機２１の回転数を制御するので、就寝者にとって好ましい室内温度の状態で快適な睡眠環境を作ることができる。
【００４３】
そして、制御部１７は、検出室内温度Ｔｒと吹出し空気温度Ｔｄとの差が相対的に大きいとき、圧縮機２１の回転数を減少させ、検出室内温度Ｔｒと吹出し空気温度Ｔｄとの差が相対的に小さいとき、圧縮機２１の回転数を増加させるように制御する制御信号を制御部２９に送信する。このようにすることによって、吹出し空気温度Ｔｄを快適な温度に制御することができる。
【００４４】
好ましくは、制御部１７は、検出室内温度Ｔｒと吹出し空気温度Ｔｄとの差が予め定められた範囲の上限値ｔ２よりも相対的に大きいとき、圧縮機２１の回転数を減少させ、検出室内温度Ｔｒと吹出し空気温度Ｔｄとの差が予め定められた範囲の下限値ｔ１よりも相対的に小さいとき、圧縮機２１の回転数を増加させ、検出室内温度Ｔｒと吹出し空気温度Ｔｄとの差が予め定められた範囲内（ｔ１≦（Ｔｒ−Ｔｄ）≦ｔ２）のとき、圧縮機２１の回転数を維持するように制御する制御信号を制御部２９に送信する。このようにすることによって、吹出し空気温度Ｔｄを快適な温度範囲に制御することができる。
【００４５】
具体的には、ステップＳ４にて、検出室内温度Ｔｒと吹出し空気温度Ｔｄとの差（Ｔｒ−Ｔｄ）がｔ２よりも大きい（ＹＥＳ）ときには、ステップＳ５にて、圧縮機２１の回転数を下降させる。
【００４６】
ステップＳ４にて、検出室内温度Ｔｒと吹出し空気温度Ｔｄとの差（Ｔｒ−Ｔｄ）がｔ２よりも小さく（ＮＯ）、かつ、ステップＳ６にて、検出室内温度Ｔｒと吹出し空気温度とＴｄの差（Ｔｒ−Ｔｄ）がｔ１よりも小さい（ＹＥＳ）ときには、ステップＳ７にて、圧縮機２１の回転数を上昇させる。
【００４７】
ステップＳ４にて、検出室内温度Ｔｒと吹出し空気温度Ｔｄとの差（Ｔｒ−Ｔｄ）がｔ２よりも小さく（ＮＯ）、かつ、ステップＳ６にて、検出室内温度Ｔｒと吹出し空気温度とＴｄの差（Ｔｒ−Ｔｄ）がｔ１よりも大きい（ＮＯ）ときには、ステップＳ８にて、圧縮機２１の回転数を固定する、すなわち、維持する。
【００４８】
上記の圧縮機２１の制御において、冷房運転中に「おやすみ」運転モードが選択されると、吹出し空気温度Ｔｄが、検出室内温度Ｔｒにおいて、予め定められた第１の湿度に対応する第１の露点温度と、第１の湿度よりも高い予め定められた第２の湿度に対応する第２の露点温度の範囲内の温度になるように、制御部１７は、圧縮機２１の回転数を制御する制御信号を制御部２９に送信するのが好ましい。このようにすることによって、冷房運転時において、吹出し空気温度Ｔｄを所定の湿度範囲に対応する露点温度の範囲に制御することができる。このため、睡眠運転時に室内の湿度が高くなり過ぎないように制御することができる。また、睡眠運転時に室内の湿度が一定値以下に低下することがないように制御することができる。さらに、不快な湿度となる蒸発温度になるまで室内熱交換器１１の温度を上昇させることもない。
【００４９】
たとえば、第１の湿度として４５％、第２の湿度として６５％とすると、第１の湿度に対応する第１の露点温度は（Ｔｒ−１３）℃、第２の湿度に対応する第２の露点温度は（Ｔｒ−７）℃に近似される。したがって、（Ｔｒ−１３）≦Ｔｄ≦（Ｔｒ−７）になるように圧縮機２１の回転数が制御される。これにより、７≦（Ｔｒ−Ｔｄ）≦１３になるように圧縮機２１の回転数が制御される。すなわち、冷房運転中にはｔ１＝７℃、ｔ２＝１３℃に設定される。
【００５０】
この場合、圧縮機２１の回転数の制御は、設定室内温度Ｔｓと検出室内温度Ｔｒとの差（Ｔｒ−Ｔｓ）の値に応じて行われる。
【００５１】
たとえば、冷房運転時において、設定室内温度Ｔｓと検出室内温度Ｔｒとの差がΔｔ＝１．３℃以下で、０．７℃よりも大きい場合には、ｔ１＝１１℃、ｔ２＝１３℃として、上記の圧縮機の制御を行う。すなわち、制御部１７は、検出室内温度Ｔｒと吹出し空気温度Ｔｄとの差が１３℃よりも大きいとき、圧縮機２１の回転数を減少させ、検出室内温度Ｔｒと吹出し空気温度Ｔｄとの差が１１℃よりも小さいとき、圧縮機２１の回転数を増加させ、検出室内温度Ｔｒと吹出し空気温度とＴｄの差が予め定められた範囲内（１１℃＜（Ｔｒ−Ｔｄ）≦１３℃）のとき、圧縮機２１の回転数を維持するように制御する制御信号を制御部２９に送信する。
【００５２】
また、設定室内温度Ｔｓと検出室内温度Ｔｒとの差がΔｔ＝０．７℃以下で、０℃よりも大きい場合には、ｔ１＝９℃、ｔ２＝１２℃として、上記の圧縮機の制御を行う。すなわち、制御部１７は、検出室内温度Ｔｒと吹出し空気温度Ｔｄとの差が１２℃よりも大きいとき、圧縮機２１の回転数を減少させ、検出室内温度Ｔｒと吹出し空気温度Ｔｄとの差が９℃よりも小さいとき、圧縮機２１の回転数を増加させ、検出室内温度Ｔｒと吹出し空気温度とＴｄの差が予め定められた範囲内（９℃＜（Ｔｒ−Ｔｄ）≦１２℃）のとき、圧縮機２１の回転数を維持するように制御する制御信号を制御部２９に送信する。
【００５３】
さらに、設定室内温度Ｔｓと検出室内温度Ｔｒとの差がΔｔ＝０℃以下で、−０．７℃よりも大きい場合には、ｔ１＝７℃、ｔ２＝８℃として、上記の圧縮機の制御を行う。すなわち、制御部１７は、検出室内温度Ｔｒと吹出し空気温度Ｔｄとの差が８℃よりも大きいとき、圧縮機２１の回転数を減少させ、検出室内温度Ｔｒと吹出し空気温度Ｔｄとの差が７℃よりも小さいとき、圧縮機２１の回転数を増加させ、検出室内温度Ｔｒと吹出し空気温度とＴｄの差が予め定められた範囲内（７℃＜（Ｔｒ−Ｔｄ）≦８℃）のとき、圧縮機２１の回転数を維持するように制御する制御信号を制御部２９に送信する。
【００５４】
さらにまた、設定室内温度Ｔｓと検出室内温度Ｔｒとの差がΔｔ＝−０．７℃以下の場合には、ｔ１＝７℃、ｔ２＝８℃として、上記の圧縮機の制御を行う。すなわち、制御部１７は、検出室内温度Ｔｒと吹出し空気温度Ｔｄとの差が８℃よりも大きいとき、圧縮機２１の回転数を減少させ、検出室内温度Ｔｒと吹出し空気温度Ｔｄとの差が７℃よりも小さいとき、圧縮機２１の回転数を増加させ、検出室内温度Ｔｒと吹出し空気温度とＴｄの差が予め定められた範囲内（７℃＜（Ｔｒ−Ｔｄ）≦８℃）のとき、圧縮機２１の回転数を維持するように制御する制御信号を制御部２９に送信する。
【００５５】
なお、暖房運転中に「おやすみ」運転モードが選択されると（ステップＳ１）、室内へ吹き出す風量を「微風」にする（ステップＳ２）とともに、風向をほぼ真下向きにする。
【００５６】
暖房運転中では、ステップＳ３にて、「おやすみ」運転モードで設定された設定室内温度Ｔｓと、室内温度検出部１４によって検出された検出室内温度Ｔｒとの差（Ｔｓ−Ｔｒ）が予め定められた温度差Δｔの範囲内であるかどうかが判定される。ここで、設定室内温度Ｔｓは、「おやすみ」運転モードの設定後に、たとえば、６０分後、ファジィ演算によって決定された時間経過後、段階的に下降させる。
【００５７】
このように、検出室内温度Ｔｒが設定室内温度Ｔｓに近づいたときに吹出し空気温度Ｔｄに応じて圧縮機２１の回転数を制御するので、就寝者にとって好ましい室内温度の状態で快適な睡眠環境を作ることができる。
【００５８】
また、暖房運転中では、ステップＳ４にて、検出室内温度Ｔｒと吹出し空気温度Ｔｄとの差（Ｔｒ−Ｔｄ）の代わりに、吹出し空気温度Ｔｄがｔ２と比較され、ステップＳ６にて、検出室内温度Ｔｒと吹出し空気温度Ｔｄとの差（Ｔｒ−Ｔｄ）の代わりに、吹出し空気温度Ｔｄがｔ１と比較される。このようにすることによって、吹出し空気温度を快適な温度、または快適な温度範囲に制御することができる。
【００５９】
この場合、吹出し空気温度Ｔｄが、人間の体温よりも高い予め定められた第１の温度ｔ１と、第１の温度よりも高い予め定められた第２の温度ｔ２の範囲内の温度になるように、制御部１７は、圧縮機２１の回転数を制御する制御信号を制御部２９に送信するのが好ましい。たとえば、暖房運転中にはｔ１＝３４℃、ｔ２＝３９℃に設定される。このようにすることによって、暖房運転時において、人間の体温よりも高い一定値以上に上昇しないように吹出し空気温度を制御することができる。このため、睡眠運転時に室内の温度が高くなり過ぎないように制御することができる。また、吹出し空気温度が高温で寝苦しくなるような凝縮温度になるまで室内熱交換器１１の温度を上昇させることがない。
【００６０】
このように吹出し空気温度Ｔｄに応じて、圧縮機２１の回転数を制御するので、暖房運転時に吹出し空気温度Ｔｒが就寝者にとって熱い温度になることもなく、快適な睡眠環境を作ることができる。
【００６１】
暖房運転中に「おやすみ」運転モードが選択されると、制御部１７は、室内ファン１２の回転数を減少させることによって、室内に送り出される風の量を少なくすることができるので、就寝者にとって快適な風を室内に送ることができる。また、暖房運転中では風向をほぼ真下向きにするので、暖気を就寝者に直接当てることがないので、高温の風で寝苦しくなることなく、就寝者は睡眠することができる。
【００６２】
なお、上記の実施の形態において、ｔ１とｔ２の値は、制御部１７内で不揮発性メモリ（ＥＥＰＲＯＭ）に記憶され、適宜、変更することができる。
【００６３】
また、上記の実施の形態では、冷房運転中に検出室内温度Ｔｒと吹出し空気温度Ｔｄとに応じて、または、暖房運転中に吹出し空気温度Ｔｄに応じて、制御部１７が圧縮機２１の回転数を制御する制御信号を制御部２９に送信しているが、制御部１７が室外ファン２６の回転数を制御する制御信号を制御部２９に送信してもよく、また、制御部１７が圧縮機２１の回転数と室外ファン２６の回転数を制御する制御信号を制御部２９に送信してもよい。この場合でも、上述した本発明の作用効果を達成することができる。
【００６４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００６５】
【図１】この発明の一つの実施の形態として空気調和機の冷凍サイクルを示す図である。
【図２】冷房運転中において、制御部を構成するマイクロコンピュータの睡眠時運転モードにおける処理手順を示すフローチャートである。
【図３】この発明の一つの実施の形態として空気調和機のリモートコントローラの構成を示す図である。
【符号の説明】
【００６６】
１：空気調和機、１０：室内機、１１：室内熱交換器、１２：室内ファン、１４：室内温度検出部、１５：吹出口温度検出部、１６：熱交換器温度検出部、１７，２９：制御部、２０：室外機、２１：圧縮機、２５：室外熱交換器、２６：室外ファン、３０：リモートコントローラ、３１：「おやすみ」ボタン。
【図１】
0004592599.tif 000002
【図２】
0004592599.tif 000003
【図３】
0004592599.tif 000004